(57)【要約】【課題】除湿機能を利用して室内の湿度を上昇させることなく衣類乾燥を促進でき、乾燥時間を短縮することができるとともに、衣類乾燥除湿機を簡易に移動できるようにした衣類乾燥除湿機を提供する。【解決手段】吸込み口と除湿手段と吹出し口１２とを有し、室内の空気を前記吸込み口から吸引し、前記除湿手段によって除湿した空気を前記吹出し口１２から室内に放出する除湿機１０と、前記除湿機からの空気を吸い込んで被乾燥対象物方向に吹出す送風機２０とを備えている。前記除湿機１０は、上方に延設した左右の延設部６０ａを有しており、前記送風機２０は、当該延設部６０ａ間に設置される。【選択図】図１
2015080737.tif 000002
【特許請求の範囲】
【請求項１】
吸込み口と除湿手段と吹出し口とを有し、室内の空気を前記吸込み口から吸引し、前記除湿手段によって除湿した空気を前記吹出し口から室内に放出する除湿機と、前記除湿機からの空気を吸い込んで被乾燥対象物方向に吹出す送風機と、を備え、
前記除湿機は、上方に延設した左右の延設部を有しており、前記送風機は、当該延設部間に設置されることを特徴とする衣類乾燥除湿機。
【請求項２】
請求項１に記載の衣類乾燥除湿機において、前記送風機は前記除湿機の吹出し口側からの空気を吸い込むことを特徴とする衣類乾燥除湿機。
【請求項３】
請求項１又は２に記載の衣類乾燥除湿機において、前記延設部の上端縁部が湾曲面に形成されていることを特徴とする衣類乾燥除湿機。
【請求項４】
請求項１〜３のいずれかに記載の衣類乾燥除湿機において、前記延設部に把持部を備えることを特徴とする衣類乾燥除湿機。
【請求項５】
請求項４に記載の衣類乾燥除湿機において、前記把持部は、指先が挿入できる凹形状であることを特徴とする衣類乾燥除湿機。
【請求項６】
請求項５に記載の衣類乾燥除湿機において、前記送風機の全体形状が円形乃至球体であり、前記把持部は、前記延設部と前記送風機との空間における前記延設部の内壁側に凹形状を突出させたものであることを特徴とする衣類乾燥除湿機。
【請求項７】
請求項４に記載の衣類乾燥除湿機において、前記把持部は、前記送風機の上方を跨ぐように前記左右の延設部に架設した回転アームであることを特徴とする衣類乾燥除湿機。
【請求項８】
請求項４に記載の衣類乾燥除湿機において、前記把持部は、前記送風機の上方を跨ぐように前記左右の延設部に架設した固定アームであることを特徴とする衣類乾燥除湿機。
【請求項９】
請求項４に記載の衣類乾燥除湿機において、前記把持部は、前記延設部をループ形状に形成したものであることを特徴とする衣類乾燥除湿機。
【請求項１０】
請求項４に記載の衣類乾燥除湿機において、前記把持部は、前記左右の延設部の上部が、前記送風機の上方を跨ぐ位置で折れ曲がる形状であることを特徴とする衣類乾燥除湿機。
【請求項１１】
請求項１０に記載の衣類乾燥除湿機において、前記延設部の把持部を構成する先端部分が細くなっていることを特徴とする衣類乾燥除湿機。
【請求項１２】
請求項１から１１のいずれかに記載の衣類乾燥除湿機において、前記除湿機底部にコロを備えることを特徴とする衣類乾燥除湿機。
【発明の詳細な説明】
【技術分野】
【０００１】
本発明は、室内空間を除湿する除湿機に関するものであり、特に洗濯した衣類を乾燥させる衣類乾燥除湿機に関する。
【背景技術】
【０００２】
従来、室内空間を除湿するためにデシカント式、コンプレッサー式、ハイブリット式など様々な方式の除湿機が用いられている。それらの除湿機は除湿手段を動作させ室内の水分を除いて室内の湿度を下げるものであり、それによって室内の不快感を軽減したり、衣類の乾燥を促進したり、窓や壁の結露を防止することができる。
【０００３】
特に湿度の高い梅雨時などの除湿機の使用形態として、衣類乾燥が主として用いられている。そこで、衣類の乾燥を促進するために、除湿機とは別体の２本のアームで保持した外部用送風機を利用することで、乾燥空気を洗濯物に当てて、洗濯物への送風量を増加させることにより、効率よく洗濯物を乾燥させることが考えられている（特許文献１参照）。
【０００４】
ところが、特許文献１は、除湿機の放出空気を外部用送風機を用いて、遠くに飛ばすことにより乾燥効率を上げることを目的にしたものであるが、送風機が除湿機の背面側に配置するため、大きな設置スペースが必要となる。また、除湿機の移動に際して考慮されておらず、実際に使用する場所への移動には、取り扱いの配慮が必要である。
【０００５】
最近の衣類を乾燥させる除湿機としては、コンパクトなものはなく、外寸が大きくなりすぎるという問題点があった。
【先行技術文献】
【特許文献】
【０００６】
【特許文献１】特開２０１１−５８７９５号公報
【発明の概要】
【発明が解決しようとする課題】
【０００７】
本発明は、上記の事情に鑑みてなされたもので、洗濯物（被乾燥対象物）の乾燥時間を短縮する衣類乾燥除湿機を簡易に移動できるようにした衣類乾燥除湿機を提供することを目的とする。
【課題を解決するための手段】
【０００８】
上記課題を解決するために、請求項１の衣類乾燥除湿機にあっては、吸込み口と除湿手段と吹出し口とを有し、室内の空気を前記吸込み口から吸引し、前記除湿手段によって除湿した空気を前記吹出し口から室内に放出する除湿機と、前記除湿機からの空気を吸い込んで被乾燥対象物方向に吹出す送風機と、を備え、前記除湿機は、上方に延設した左右の延設部を有しており、前記送風機は、当該延設部間に設置されるものである。
【０００９】
この衣類乾燥除湿機によれば、上方に延設した左右の延設部が送風機を囲む構造となり、衣類乾燥除湿機を移動させる際に送風機に触れることがない。そのため、送風機の駆動機構部のメカ精度を落とすことがなく動作時のガタを起こしにくい。また操作ミスを起こす心配も少なく、製品寿命を維持することができる。
【００１０】
また請求項２の衣類乾燥除湿機にあっては、前記送風機は前記除湿機の吹出し口側からの空気を吸い込んで被乾燥対象物方向に吹出すものである。そのため、除湿された空気を多く被乾燥対象物に吹付けることができ、乾燥時間の短縮をさらに図ることができる。
【００１１】
また請求項３の衣類乾燥除湿機にあっては、前記延設部の上端縁部が湾曲面に形成されているものである。そのため、衣類乾燥除湿機を移動させる際に周辺の物やユーザーの衣服などが引っ掛かることがなく、また手などを傷つけることもない。また、丸みのあるスマートな外観を確保することができる。
【００１２】
また請求項４の衣類乾燥除湿機にあっては、前記延設部に把持部を備えるものである。そのため、前記把持部を持つことにより簡単に衣類乾燥除湿機を移動させることができる。
【００１３】
また請求項５の衣類乾燥除湿機にあっては、前記把持部は、指先が挿入できる凹形状である。そのため、指先が前記把持部にスムーズに入ることで、両手で簡単に衣類乾燥除湿機を移動させることができる。
【００１４】
また請求項６の衣類乾燥除湿機にあっては、前記送風機の全体形状が円形乃至球体であり、前記把持部は、前記延設部と前記送風機との空間における前記延設部の内壁側に凹形状を突出させたものである。そのため、除湿機と送風機の略三角形状の空間を有効利用して延設部の内側方向に把持部を設けることができ、外観がすっきりする。
【００１５】
また請求項７の衣類乾燥除湿機にあっては、前記把持部は、前記送風機の上方を跨ぐように前記左右の延設部に架設した回転アームである。そのため、前記送風機に触れることなく、前記把持部を持つことで衣類乾燥除湿機を移動させることができる。
【００１６】
また請求項８の衣類乾燥除湿機にあっては、前記把持部は、前記送風機の上方を跨ぐように前記左右の延設部に架設した固定アームである。そのため、前記送風機に触れることなく、前記把持部を持つことで衣類乾燥除湿機を移動させることができる。
【００１７】
また請求項９の衣類乾燥除湿機にあっては、前記把持部は、前記延設部をループ形状に形成したものである。そのため、前記送風機に触れることなく、前記把持部を持つことで衣類乾燥除湿機を移動させることができる。
【００１８】
また請求項１０の衣類乾燥除湿機にあっては、前記把持部は、前記左右の延設部の上部が、前記送風機の上方を跨ぐ位置で折れ曲がる形状である。そのため、前記送風機に触れることなく、前記把持部を持つことで衣類乾燥除湿機を移動させることができる。
【００１９】
また請求項１１の衣類乾燥除湿機にあっては、前記延設部の把持部を構成する先端部分が細くなっている。そのため、把持部を手で掴みやすくなり、衣類乾燥除湿機のスムーズな移動を行いやすい。
【００２０】
また請求項１２の衣類乾燥除湿機にあっては、前記除湿機底部にコロを備えるものである。そのため、コロの回転力を利用することにより少ない力で衣類乾燥除湿機を移動させることができる。
【発明の効果】
【００２１】
本発明によれば、除湿機能を利用して室内の湿度を上昇させることなく衣類乾燥を促進でき、乾燥時間を短縮することができるとともに、衣類乾燥除湿機を簡易に移動できるようにした衣類乾燥除湿機を提供することができる。
【図面の簡単な説明】
【００２２】
【図１】本発明の一つの実施形態に係る衣類乾燥除湿機の正面斜視図である。
【図２】同衣類乾燥除湿機の右側面図である。
【図３】同衣類乾燥除湿機の送風機の吹出し側の外観斜視図である。
【図４】同衣類乾燥除湿機より送風機を取り除いた上方からの斜視図である。
【図５】同衣類乾燥除湿機の把持部の変形例を示す送風機を取り除いた上方からの概略斜視図である。
【図６】同衣類乾燥除湿機の把持部の別の変形例を示す送風機を取り除いた上方からの概略斜視図である。
【図７】同衣類乾燥除湿機の把持部の別の変形例を示す送風機を取り除いた上方からの概略斜視図である。
【図８】同衣類乾燥除湿機の把持部の別の変形例を示す送風機を取り除いた上方からの概略斜視図である。
【発明を実施するための形態】
【００２３】
以下、本発明の実施形態を図に従って説明する。
図１に示すように、本発明の衣類乾燥除湿機１は大きく除湿機１０と送風機２０とからなっており、送風機２０が除湿機１０の上部に形成された左右の延設部６０ａのほぼ中間に配置され、除湿機１０で除湿された除湿空気を送風機２０により洗濯物に吹き付ける構成である。
【００２４】
図４は、衣類乾燥除湿機１より送風機２０を取り除いた状態を示したもので、符号１０ｃは送風機２０を除湿機１０に取り付けるための送風機取付け孔を示している。図４に示すように、除湿機１０は、本体内に設けられた図示しない吸込みファンによって吸込み口１１より室内の空気を除湿機１０本体内に吸い込み、前記本体内部で除湿し、除湿した空気を図示しない放出ファンにより吹出し口１２より放出している。この除湿機１０の上部には、前記放出ファンとは独立した送風機２０が本来は搭載される。なお、除湿機１０と送風機２０の駆動電源は、電源コード１３により供給され、除湿機１０の上部には風量やタイマーを設定するための操作パネル１４や警告表示部（警告表示手段）１５や警報ブザー（警告音発生手段）１６を、また除湿機１０筺体内部にはヒーター１８を、備えている。
【００２５】
除湿機１０の除湿機構は、コンプレッサー式であり、図示しない圧縮機、凝縮器、蒸発器、冷媒、エアフィルタ、吸込みファン、放出ファン及び排水タンクからなる。圧縮機によって冷媒を凝縮器や蒸発器に循環させ、凝縮器で熱の放出、蒸発器で熱の吸収を行なう。吸込み口１１から吸い込まれた室内の空気は、蒸発器にて急激に冷却されることにより、飽和水蒸気圧以上に含まれていた水分が蒸発器表面に結露し、結露水は排水タンクに貯められる。そして、湿度を低下させられた空気は、凝縮器を通過する際に暖められ、吹出し口１２から除湿機外に吹出される。
【００２６】
なお、冷媒としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などが用いられる。
【００２７】
図２は、衣類乾燥除湿機１を側面から見たもので、送風機２０は吸込み側Ａと吹出し側Ｂを有しており、吹出し側Ｂがどちらの方向を向いているかを、図示しないエンコーダやセンサなどにより判断している。図２では、送風機２０の吹出し側Ｂは右方向を向いている。従って、除湿機１０の吹出し口１２（図４参照）から放出される除湿された空気をより多く吸込むことができるため、洗濯物の乾燥時間をさらに短縮できるものであるが、送風機２０の吹出し側Ｂは、左方向を向いていることもありうる。
【００２８】
本発明は、除湿された上向きの空気流を、除湿機１０の上部に備えられた送風機２０による横方向への空気流に変えて、洗濯物に強い風速にて吹き付けることで、乾燥時間の短縮を図るものであるが、その空気流は洗濯物の中央部に向かって流れるように調整される。
【００２９】
この空気流を発生させるには直線性を生じるファンであれば、特に限定されるものではないが、サーキュレーターや空気循環器を用いることが望ましい。これらを用いた場合は、空気流をより遠くまで運ぶことができるので、衣類乾燥除湿機を洗濯物の近くに配置できない使用環境においても乾燥促進を図ることができる。
【００３０】
図３は、送風機２０のみを吹出し側Ｂより示したもので、前カバー２１、後カバー２２及びファンガード２３で囲まれたケーシング内に、図示しないファンやモータなどの主機能部分が格納されている。ケーシングは、略Ｕ字形の保持部材２４にて保持されており、保持部材２４の下部は、座台２６に旋回可能に支持されている。座台２６の下部には回転用モータ２７で駆動される回転機構部２５を有しており、この回転機構部２５により保持部材２４が水平方向に旋回可能になっている。なお、座台２６は除湿機２０上部に設けられており、この台座２６を介して除湿機２０が取り付けられている。
【００３１】
また、保持部材２４の両端部には、図示しない角度調整部を備えており、送風機２０の吹出し側Ｂの角度を垂直方向に変更することができる。
【００３２】
実際の使用においては、送風機の吹出し方向に対峙するように物干し竿が並べているのが通常であり、物干し竿の長さ方向の中央部と端部とでは風の当たり方が異なってくる。その影響を少なくするため、それら洗濯物に対して極力万遍なく風が当たるように、送風機２０の吹出し側Ｂが水平方向に回動する首ふり機能を用いることが好ましい（図３、矢印Ｘ参照）。
【００３３】
また、実際の使用においては、当然洗濯物の上下長さや大きさが異なるため、より風の当てる方向を変えた方が乾燥時間をより短縮することができる。従って、送風機２０の吹出し側Ｂは、簡単なメカ機構などを用いることにより、吹出し角度（水平線とファン回転軸となす角度）を変更できるようにすることが好ましい（図３、矢印Ｚ参照）。
【００３４】
４図において、延設部６０ａは、除湿機１０の左右の側壁６０から上方に延出しており、その上端縁部を湾曲面６０ｂを形成している。こうすることにより、衣類乾燥除湿機を移動させる際に周辺の物やユーザーの衣服などが引っ掛かることがなく、また手などを傷つけることもない。また、丸みのあるスマートな外観を確保することができる。
【００３５】
これら延出部６０ａの略中央部には、指先が挿入できる凹形状の把持部７０が形成されている。この場合、送風機２０は、図１、図３に示すような全体的に円形乃至球体形状の送風機を設置することが好ましい。その理由は、除湿機１０の延設部６０ａと送風機２０の下部との略三角形状の空間を利用して、延設部６０ａの内壁側６０ｄに突出するように凹形状の把持部７０を形成ができるため、コンパクトでスリムな衣類乾燥除湿機を作り上げることができるからである。
ユーザーは把持部７０に手を突っ込み持ち上げることにより、衣類乾燥除湿機１を移動させることができる。
【００３６】
また、除湿機１０の底面に設けたキャスターなどのコロ１９を用いることで、衣類乾燥除湿機１を、ユーザーは少しの力で簡単に移動させることができる。
【００３７】
把持部７０の変形例について図５〜図９を用いて説明する。以下の図面においては、便宜上、除湿機１０の２つの延設部６０ａの間にある送風機２０を除いた状態で、かつ除湿機１０の上面については、フラットで表現するとともに、吹出し口１２、操作パネル１４、警告表示部１５及び警告ブザー１６も省略している。
【００３８】
（変形例１）
第５図は、延設部６０ａの別の形状を示すものである。延設部６０ａに把持部取付け孔７０ａを形成し、そこに略コ字状パイプの回転アーム（把持部７０）を通し、内側より当該パイプの両端を留め具７１で固定するようになっている。回転アームは左右延設部６０ａの間に設置される送風機２の上方を跨ぐように左右の延設部６０ａに回転可能に架設される。
なお、把持部７０は、不使用時にはうしろ壁面に接する状態となるため、外寸もそれほど大きくならない。
【００３９】
（変形例２）
第６図は、延設部６０ａの別の形状を示すものである。延設部６０ａは図示しない送風機２０の高さを超えるように延設部６０ａの高さを高くしたものである。延設部６０ａの上端部に把持部取り付け孔７０ａを設け、そこに丸型パイプや角型パイプなどの固定アーム（把持部７０）を通し、外側より留め具７１で固定するものである。なお、ユーザーの手で握れるようなパイプ径であれば、外径は特に限定されない。固定アームは左右延設部６０ａの間に設置される送風機２の上方を跨ぐ高さに架設される。
【００４０】
（変形例３）
第７図は、延設部６０ａがループ形状になっているものを示している。その上端円弧部分（把持部７０）をユーザーが握ることにより、衣類乾燥除湿機１を移動させることができるものである。
なお、このループ形状を採用することで、延設部６０ａの樹脂使用量を少なくでき、軽量化を図ることもできる。
また、延設部６０ａの上部への長さは、送風機２０の運転動作に支障をきたさない長さ以上であれば、特に限定されない。
【００４１】
（変形例４）
第８図は、左右の延設部６０ａの先端部分６０ｃを互いに向き合うように横方向に延出させ、除湿機１０の上方に四角状の空間をなす構造であり、この向き合う延設部の先端部分６０ｃが把持部７０を形成するものである。先端部分６０ｃは、左右延設部６０ａの間に設置される送風機２の上方を跨ぐ高さに形成される。
なお、向き合う先端部分６０ｃは幅が細くなっていると、ユーザーが握りやすく片手でも移動させることができるため、より好ましい。さらに、図示はしていないが、２つの把持部の先端部分６０ｃがつながるようになっていてもよい。
【００４２】
以上説明した内容は、発明を実施するための一形態を説明したものであり、上記実施の形態に限定されるものではない。例えば、上記実施の形態では、送風機２０の全体形状を円形乃至球体としたが、四角形などの形状も取りうる。 
【００４３】
また、本発明ではコンプレッサー式の除湿機構を基に説明を行なったが、他の除湿機構でも差し支えはなく、コンプレッサー式の代わりにデシカント式やハイブリット式など様々な方式の除湿機構を用いることでも、本発明を実施することが可能である。
【００４４】
その他本発明の衣類乾燥除湿機は、除湿器、空気調和機、除湿器付空気清浄機、エアコンなどの多様な用途に応用が可能である。
【符号の説明】
【００４５】
１        衣類乾燥除湿機
１０      除湿機
１０ｃ    送風機取付け孔
１１      吸込み口
１２      吹出し口
１３      電源コード
１４      操作パネル
１５      警告表示部
１６      警報ブザー
１８      ヒーター
１９      コロ
２０      送風機
２１      前カバー
２２      後カバー
２３      ファンガード
２４      保持部材
２５      回転機構部
２６      台座
２７      回転用モータ
６０      側壁
６０ａ    延設部
６０ｂ    延設部曲面
６０ｃ    延設部先端部分
６０ｄ    延設部内壁
７０      把持部
７０ａ    把持部取付け孔
７１      留め具
Ａ        吸込み側
Ｂ        吹出し側
【図１】
2015080737.tif 000003
【図２】
2015080737.tif 000004
【図３】
2015080737.tif 000005
【図４】
2015080737.tif 000006
【図５】
2015080737.tif 000007
【図６】
2015080737.tif 000008
【図７】
2015080737.tif 000009
【図８】
2015080737.tif 000010
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
吸込み口と除湿手段と吹出し口とを有し、室内の空気を前記吸込み口から吸引し、前記除湿手段によって除湿した空気を前記吹出し口から室内に放出する除湿機と、前記除湿機からの空気を吸い込んで被乾燥対象物方向に吹出す送風機と、を備え、
前記除湿機は、上方に延設した左右の延設部を有しており、前記送風機は、当該延設部間に設置されることを特徴とする衣類乾燥除湿機。
【請求項２】
請求項１に記載の衣類乾燥除湿機において、前記送風機は前記除湿機の吹出し口側からの空気を吸い込むことを特徴とする衣類乾燥除湿機。
【請求項３】
請求項１又は２に記載の衣類乾燥除湿機において、前記延設部の上端縁部が湾曲面に形成されていることを特徴とする衣類乾燥除湿機。
【請求項４】
請求項１〜３のいずれかに記載の衣類乾燥除湿機において、前記延設部に把持部を備えることを特徴とする衣類乾燥除湿機。
【請求項５】
請求項４に記載の衣類乾燥除湿機において、前記把持部は、指先が挿入できる凹形状であることを特徴とする衣類乾燥除湿機。
【請求項６】
請求項５に記載の衣類乾燥除湿機において、前記送風機の全体形状が円形乃至球体であり、前記把持部は、前記延設部と前記送風機との空間における前記延設部の内壁側に凹形状を突出させたものであることを特徴とする衣類乾燥除湿機。
【請求項７】
請求項４に記載の衣類乾燥除湿機において、前記把持部は、前記送風機の上方を跨ぐように前記左右の延設部に架設した回転アームであることを特徴とする衣類乾燥除湿機。
【請求項８】
請求項４に記載の衣類乾燥除湿機において、前記把持部は、前記送風機の上方を跨ぐように前記左右の延設部に架設した固定アームであることを特徴とする衣類乾燥除湿機。
【請求項９】
請求項４に記載の衣類乾燥除湿機において、前記把持部は、前記延設部をループ形状に形成したものであることを特徴とする衣類乾燥除湿機。
【請求項１０】
請求項４に記載の衣類乾燥除湿機において、前記把持部は、前記左右の延設部の上部が、前記送風機の上方を跨ぐ位置で折れ曲がる形状であることを特徴とする衣類乾燥除湿機。
【請求項１１】
請求項１０に記載の衣類乾燥除湿機において、前記延設部の把持部を構成する先端部分が細くなっていることを特徴とする衣類乾燥除湿機。
【請求項１２】
請求項１から１１のいずれかに記載の衣類乾燥除湿機において、前記除湿機底部にキャスターを備えることを特徴とする衣類乾燥除湿機。
【手続補正２】
【補正対象書類名】明細書
【補正対象項目名】全文
【補正方法】変更
【補正の内容】
【発明の詳細な説明】
【技術分野】
【０００１】
本発明は、室内空間を除湿する除湿機に関するものであり、特に洗濯した衣類を乾燥させる衣類乾燥除湿機に関する。
【背景技術】
【０００２】
従来、室内空間を除湿するためにデシカント式、コンプレッサー式、ハイブリット式など様々な方式の除湿機が用いられている。それらの除湿機は除湿手段を動作させ室内の水分を除いて室内の湿度を下げるものであり、それによって室内の不快感を軽減したり、衣類の乾燥を促進したり、窓や壁の結露を防止することができる。
【０００３】
特に湿度の高い梅雨時などの除湿機の使用形態として、衣類乾燥が主として用いられている。そこで、衣類の乾燥を促進するために、除湿機とは別体の２本のアームで保持した外部用送風機を利用することで、乾燥空気を洗濯物に当てて、洗濯物への送風量を増加させることにより、効率よく洗濯物を乾燥させることが考えられている（特許文献１参照）。
【０００４】
ところが、特許文献１は、除湿機の放出空気を外部用送風機を用いて、遠くに飛ばすことにより乾燥効率を上げることを目的にしたものであるが、送風機が除湿機の背面側に配置するため、大きな設置スペースが必要となる。また、除湿機の移動に際して考慮されておらず、実際に使用する場所への移動には、取り扱いの配慮が必要である。
【０００５】
最近の衣類を乾燥させる除湿機としては、コンパクトなものはなく、外寸が大きくなりすぎるという問題点があった。
【先行技術文献】
【特許文献】
【０００６】
【特許文献１】特開２０１１−５８７９５号公報
【発明の概要】
【発明が解決しようとする課題】
【０００７】
本発明は、上記の事情に鑑みてなされたもので、洗濯物（被乾燥対象物）の乾燥時間を短縮する衣類乾燥除湿機を簡易に移動できるようにした衣類乾燥除湿機を提供することを目的とする。
【課題を解決するための手段】
【０００８】
上記課題を解決するために、請求項１の衣類乾燥除湿機にあっては、吸込み口と除湿手段と吹出し口とを有し、室内の空気を前記吸込み口から吸引し、前記除湿手段によって除湿した空気を前記吹出し口から室内に放出する除湿機と、前記除湿機からの空気を吸い込んで被乾燥対象物方向に吹出す送風機と、を備え、前記除湿機は、上方に延設した左右の延設部を有しており、前記送風機は、当該延設部間に設置されるものである。
【０００９】
この衣類乾燥除湿機によれば、上方に延設した左右の延設部が送風機を囲む構造となり、衣類乾燥除湿機を移動させる際に送風機に触れることがない。そのため、送風機の駆動機構部のメカ精度を落とすことがなく動作時のガタを起こしにくい。また操作ミスを起こす心配も少なく、製品寿命を維持することができる。
【００１０】
また請求項２の衣類乾燥除湿機にあっては、前記送風機は前記除湿機の吹出し口側からの空気を吸い込んで被乾燥対象物方向に吹出すものである。そのため、除湿された空気を多く被乾燥対象物に吹付けることができ、乾燥時間の短縮をさらに図ることができる。
【００１１】
また請求項３の衣類乾燥除湿機にあっては、前記延設部の上端縁部が湾曲面に形成されているものである。そのため、衣類乾燥除湿機を移動させる際に周辺の物やユーザーの衣服などが引っ掛かることがなく、また手などを傷つけることもない。また、丸みのあるスマートな外観を確保することができる。
【００１２】
また請求項４の衣類乾燥除湿機にあっては、前記延設部に把持部を備えるものである。そのため、前記把持部を持つことにより簡単に衣類乾燥除湿機を移動させることができる。
【００１３】
また請求項５の衣類乾燥除湿機にあっては、前記把持部は、指先が挿入できる凹形状である。そのため、指先が前記把持部にスムーズに入ることで、両手で簡単に衣類乾燥除湿機を移動させることができる。
【００１４】
また請求項６の衣類乾燥除湿機にあっては、前記送風機の全体形状が円形乃至球体であり、前記把持部は、前記延設部と前記送風機との空間における前記延設部の内壁側に凹形状を突出させたものである。そのため、除湿機と送風機の略三角形状の空間を有効利用して延設部の内側方向に把持部を設けることができ、外観がすっきりする。
【００１５】
また請求項７の衣類乾燥除湿機にあっては、前記把持部は、前記送風機の上方を跨ぐように前記左右の延設部に架設した回転アームである。そのため、前記送風機に触れることなく、前記把持部を持つことで衣類乾燥除湿機を移動させることができる。
【００１６】
また請求項８の衣類乾燥除湿機にあっては、前記把持部は、前記送風機の上方を跨ぐように前記左右の延設部に架設した固定アームである。そのため、前記送風機に触れることなく、前記把持部を持つことで衣類乾燥除湿機を移動させることができる。
【００１７】
また請求項９の衣類乾燥除湿機にあっては、前記把持部は、前記延設部をループ形状に形成したものである。そのため、前記送風機に触れることなく、前記把持部を持つことで衣類乾燥除湿機を移動させることができる。
【００１８】
また請求項１０の衣類乾燥除湿機にあっては、前記把持部は、前記左右の延設部の上部が、前記送風機の上方を跨ぐ位置で折れ曲がる形状である。そのため、前記送風機に触れることなく、前記把持部を持つことで衣類乾燥除湿機を移動させることができる。
【００１９】
また請求項１１の衣類乾燥除湿機にあっては、前記延設部の把持部を構成する先端部分が細くなっている。そのため、把持部を手で掴みやすくなり、衣類乾燥除湿機のスムーズな移動を行いやすい。
【００２０】
また請求項１２の衣類乾燥除湿機にあっては、前記除湿機底部にキャスターを備えるものである。そのため、キャスターの回転力を利用することにより少ない力で衣類乾燥除湿機を移動させることができる。
【発明の効果】
【００２１】
本発明によれば、除湿機能を利用して室内の湿度を上昇させることなく衣類乾燥を促進でき、乾燥時間を短縮することができるとともに、衣類乾燥除湿機を簡易に移動できるようにした衣類乾燥除湿機を提供することができる。
【図面の簡単な説明】
【００２２】
【図１】本発明の一つの実施形態に係る衣類乾燥除湿機の正面斜視図である。
【図２】同衣類乾燥除湿機の右側面図である。
【図３】同衣類乾燥除湿機の送風機の吹出し側の外観斜視図である。
【図４】同衣類乾燥除湿機より送風機を取り除いた上方からの斜視図である。
【図５】同衣類乾燥除湿機の把持部の変形例を示す送風機を取り除いた上方からの概略斜視図である。
【図６】同衣類乾燥除湿機の把持部の別の変形例を示す送風機を取り除いた上方からの概略斜視図である。
【図７】同衣類乾燥除湿機の把持部の別の変形例を示す送風機を取り除いた上方からの概略斜視図である。
【図８】同衣類乾燥除湿機の把持部の別の変形例を示す送風機を取り除いた上方からの概略斜視図である。
【発明を実施するための形態】
【００２３】
以下、本発明の実施形態を図に従って説明する。
図１に示すように、本発明の衣類乾燥除湿機１は大きく除湿機１０と送風機２０とからなっており、送風機２０が除湿機１０の上部に形成された左右の延設部６０ａのほぼ中間に配置され、除湿機１０で除湿された除湿空気を送風機２０により洗濯物に吹き付ける構成である。
【００２４】
図４は、衣類乾燥除湿機１より送風機２０を取り除いた状態を示したもので、符号１０ｃは送風機２０を除湿機１０に取り付けるための送風機取付け孔を示している。図４に示すように、除湿機１０は、本体内に設けられた図示しない吸込みファンによって吸込み口１１より室内の空気を除湿機１０本体内に吸い込み、前記本体内部で除湿し、除湿した空気を図示しない放出ファンにより吹出し口１２より放出している。この除湿機１０の上部には、前記放出ファンとは独立した送風機２０が本来は搭載される。なお、除湿機１０と送風機２０の駆動電源は、電源コード１３により供給され、除湿機１０の上部には風量やタイマーを設定するための操作パネル１４や警告表示部（警告表示手段）１５や警報ブザー（警告音発生手段）１６を、また除湿機１０筺体内部にはヒーター１８を、備えている。
【００２５】
除湿機１０の除湿機構は、コンプレッサー式であり、図示しない圧縮機、凝縮器、蒸発器、冷媒、エアフィルタ、吸込みファン、放出ファン及び排水タンクからなる。圧縮機によって冷媒を凝縮器や蒸発器に循環させ、凝縮器で熱の放出、蒸発器で熱の吸収を行なう。吸込み口１１から吸い込まれた室内の空気は、蒸発器にて急激に冷却されることにより、飽和水蒸気圧以上に含まれていた水分が蒸発器表面に結露し、結露水は排水タンクに貯められる。そして、湿度を低下させられた空気は、凝縮器を通過する際に暖められ、吹出し口１２から除湿機外に吹出される。
【００２６】
なお、冷媒としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などが用いられる。
【００２７】
図２は、衣類乾燥除湿機１を側面から見たもので、送風機２０は吸込み側Ａと吹出し側Ｂを有しており、吹出し側Ｂがどちらの方向を向いているかを、図示しないエンコーダやセンサなどにより判断している。図２では、送風機２０の吹出し側Ｂは右方向を向いている。従って、除湿機１０の吹出し口１２（図４参照）から放出される除湿された空気をより多く吸込むことができるため、洗濯物の乾燥時間をさらに短縮できるものであるが、送風機２０の吹出し側Ｂは、左方向を向いていることもありうる。
【００２８】
本発明は、除湿された上向きの空気流を、除湿機１０の上部に備えられた送風機２０による横方向への空気流に変えて、洗濯物に強い風速にて吹き付けることで、乾燥時間の短縮を図るものであるが、その空気流は洗濯物の中央部に向かって流れるように調整される。
【００２９】
この空気流を発生させるには直線性を生じるファンであれば、特に限定されるものではないが、サーキュレーターや空気循環器を用いることが望ましい。これらを用いた場合は、空気流をより遠くまで運ぶことができるので、衣類乾燥除湿機を洗濯物の近くに配置できない使用環境においても乾燥促進を図ることができる。
【００３０】
図３は、送風機２０のみを吹出し側Ｂより示したもので、前カバー２１、後カバー２２及びファンガード２３で囲まれたケーシング内に、図示しないファンやモータなどの主機能部分が格納されている。ケーシングは、略Ｕ字形の保持部材２４にて保持されており、保持部材２４の下部は、台座２６に旋回可能に支持されている。台座２６の下部には回転用モータ２７で駆動される回転機構部２５を有しており、この回転機構部２５により保持部材２４が水平方向に旋回可能になっている。なお、台座２６は除湿機２０上部に設けられており、この台座２６を介して除湿機２０が取り付けられている。
【００３１】
また、保持部材２４の両端部には、図示しない角度調整部を備えており、送風機２０の吹出し側Ｂの角度を垂直方向に変更することができる。
【００３２】
実際の使用においては、送風機の吹出し方向に対峙するように物干し竿が並べているのが通常であり、物干し竿の長さ方向の中央部と端部とでは風の当たり方が異なってくる。その影響を少なくするため、それら洗濯物に対して極力万遍なく風が当たるように、送風機２０の吹出し側Ｂが水平方向に回動する首ふり機能を用いることが好ましい（図３、矢印Ｘ参照）。
【００３３】
また、実際の使用においては、当然洗濯物の上下長さや大きさが異なるため、より風の当てる方向を変えた方が乾燥時間をより短縮することができる。従って、送風機２０の吹出し側Ｂは、簡単なメカ機構などを用いることにより、吹出し角度（水平線とファン回転軸となす角度）を変更できるようにすることが好ましい（図３、矢印Ｚ参照）。
【００３４】
４図において、延設部６０ａは、除湿機１０の左右の側壁６０から上方に延出しており、その上端縁部を湾曲面６０ｂを形成している。こうすることにより、衣類乾燥除湿機を移動させる際に周辺の物やユーザーの衣服などが引っ掛かることがなく、また手などを傷つけることもない。また、丸みのあるスマートな外観を確保することができる。
【００３５】
これら延出部６０ａの略中央部には、指先が挿入できる凹形状の把持部７０が形成されている。この場合、送風機２０は、図１、図３に示すような全体的に円形乃至球体形状の送風機を設置することが好ましい。その理由は、除湿機１０の延設部６０ａと送風機２０の下部との略三角形状の空間を利用して、延設部６０ａの内壁側６０ｄに突出するように凹形状の把持部７０を形成ができるため、コンパクトでスリムな衣類乾燥除湿機を作り上げることができるからである。
ユーザーは把持部７０に手を突っ込み持ち上げることにより、衣類乾燥除湿機１を移動させることができる。
【００３６】
また、除湿機１０の底面にキャスター１９を設けることで、衣類乾燥除湿機１を、ユーザーは少しの力で簡単に移動させることができる。
【００３７】
把持部７０の変形例について図５〜図９を用いて説明する。以下の図面においては、便宜上、除湿機１０の２つの延設部６０ａの間にある送風機２０を除いた状態で、かつ除湿機１０の上面については、フラットで表現するとともに、吹出し口１２、操作パネル１４、警告表示部１５及び警告ブザー１６も省略している。
【００３８】
（変形例１）
第５図は、延設部６０ａの別の形状を示すものである。延設部６０ａに把持部取付け孔７０ａを形成し、そこに略コ字状パイプの回転アーム（把持部７０）を通し、内側より当該パイプの両端を留め具７１で固定するようになっている。回転アームは左右延設部６０ａの間に設置される送風機２の上方を跨ぐように左右の延設部６０ａに回転可能に架設される。
なお、把持部７０は、不使用時にはうしろ壁面に接する状態となるため、外寸もそれほど大きくならない。
【００３９】
（変形例２）
第６図は、延設部６０ａの別の形状を示すものである。延設部６０ａは図示しない送風機２０の高さを超えるように延設部６０ａの高さを高くしたものである。延設部６０ａの上端部に把持部取り付け孔７０ａを設け、そこに丸型パイプや角型パイプなどの固定アーム（把持部７０）を通し、外側より留め具７１で固定するものである。なお、ユーザーの手で握れるようなパイプ径であれば、外径は特に限定されない。固定アームは左右延設部６０ａの間に設置される送風機２の上方を跨ぐ高さに架設される。
【００４０】
（変形例３）
第７図は、延設部６０ａがループ形状になっているものを示している。その上端円弧部分（把持部７０）をユーザーが握ることにより、衣類乾燥除湿機１を移動させることができるものである。
なお、このループ形状を採用することで、延設部６０ａの樹脂使用量を少なくでき、軽量化を図ることもできる。
また、延設部６０ａの上部への長さは、送風機２０の運転動作に支障をきたさない長さ以上であれば、特に限定されない。
【００４１】
（変形例４）
第８図は、左右の延設部６０ａの先端部分６０ｃを互いに向き合うように横方向に延出させ、除湿機１０の上方に四角状の空間をなす構造であり、この向き合う延設部の先端部分６０ｃが把持部７０を形成するものである。先端部分６０ｃは、左右延設部６０ａの間に設置される送風機２の上方を跨ぐ高さに形成される。
なお、向き合う先端部分６０ｃは幅が細くなっていると、ユーザーが握りやすく片手でも移動させることができるため、より好ましい。さらに、図示はしていないが、２つの把持部の先端部分６０ｃがつながるようになっていてもよい。
【００４２】
以上説明した内容は、発明を実施するための一形態を説明したものであり、上記実施の形態に限定されるものではない。例えば、上記実施の形態では、送風機２０の全体形状を円形乃至球体としたが、四角形などの形状も取りうる。 
【００４３】
また、本発明ではコンプレッサー式の除湿機構を基に説明を行なったが、他の除湿機構でも差し支えはなく、コンプレッサー式の代わりにデシカント式やハイブリット式など様々な方式の除湿機構を用いることでも、本発明を実施することが可能である。
【００４４】
その他本発明の衣類乾燥除湿機は、除湿器、空気調和機、除湿器付空気清浄機、エアコンなどの多様な用途に応用が可能である。
【符号の説明】
【００４５】
１        衣類乾燥除湿機
１０      除湿機
１０ｃ    送風機取付け孔
１１      吸込み口
１２      吹出し口
１３      電源コード
１４      操作パネル
１５      警告表示部
１６      警報ブザー
１８      ヒーター
１９      キャスター
２０      送風機
２１      前カバー
２２      後カバー
２３      ファンガード
２４      保持部材
２５      回転機構部
２６      台座
２７      回転用モータ
６０      側壁
６０ａ    延設部
６０ｂ    延設部曲面
６０ｃ    延設部先端部分
６０ｄ    延設部内壁
７０      把持部
７０ａ    把持部取付け孔
７１      留め具
Ａ        吸込み側
Ｂ        吹出し側